(57)【特許請求の範囲】
【請求項１】
コミュテータと前記コミュテータに摺接する複数のブラシとを備えたブラシ付き電動モータであって、
一端が開口する有底筒状に形成され、内面に界磁部が設けられるモータケースと、
前記モータケースの内部に装着され、前記複数のブラシを保持するブラシホルダと、
前記モータケースに回転自在に支持され、前記コミュテータが固定されるアマチュア軸と、
それぞれ前記コミュテータに接続され、前記アマチュア軸とともに回転する複数のアマチュアコイルと、
前記モータケースの開口端に取り付けられ、該モータケースの開口を閉塞するエンドケースと、
前記ブラシホルダに前記アマチュア軸の軸方向に重ねて配置される本体部と、前記モータケースと前記エンドケースとに挟持固定される挟持部と、前記モータケースの外側に配置される給電用のコネクタ部とが一体に設けられ、かつ、前記ブラシホルダとは別体に形成したコネクタユニットと、
前記コネクタユニットに埋設され、一端が前記給電用のコネクタ部に突出して電源接続端子を構成するとともに他端が前記本体部に突出してコネクタ側接続端子を構成する一対の給電用リード部材と、
それぞれ前記ブラシに電気的に接続されて前記ブラシホルダに設けられ、前記コネクタユニットの本体部が前記ブラシホルダに軸方向に重ねて配置されたときに対応する前記コネクタ側接続端子に電気的に接続される一対のブラシ側接続端子と、
前記コネクタユニットに設けられ、該コネクタユニットに埋設された一対の前記給電用リード部材が共に露出する露出部とを有し、
前記コネクタ側接続端子は、前記軸方向に突出しており、
前記一対のブラシ側接続端子は、前記コネクタ側接続端子が挿通される接続孔を有し、
前記挟持部は環状に形成され、前記挟持部の前記モータケース側面または前記エンドケース側面には前記モータケースと前記エンドケースとの間に挟み込まれるシール部材が装着され、該シール部材により前記露出部が覆われることを特徴とするブラシ付き電動モータ。
【請求項２】
請求項１記載のブラシ付き電動モータにおいて、前記コネクタユニットの本体部の一側面側には前記アマチュア軸の回転を検出する回転検出装置が搭載され、前記コネクタユニットには前記コネクタ部に突出して検出装置用接続端子を構成するとともに前記回転検出装置に電気的に接続される複数の検出装置用リード部材が埋設され、前記露出部からは一対の前記給電用リード部材と複数の前記検出装置用リード部材とが露出することを特徴とするブラシ付き電動モータ。
【請求項３】
請求項２記載のブラシ付き電動モータにおいて、前記回転検出装置は前記本体部を挟んで前記ブラシホルダとは軸方向反対側の面側に配置され、前記コネクタ側接続端子は前記コネクタユニットの本体部から前記ブラシホルダに向けて軸方向に突出し、前記検出装置用リード部材の他端は前記コネクタユニットの本体部から前記ブラシホルダとは軸方向反対側に向けて軸方向に突出して前記回転検出装置に接続されることを特徴とするブラシ付き電動モータ。
【請求項４】
請求項１〜３のいずれか１項に記載のブラシ付き電動モータにおいて、前記ブラシホルダの軸方向端部を前記モータケースの内面に設けられる段差部に当接させて該モータケースの内部に位置決めし、前記ブラシホルダを前記コネクタユニットと前記モータケースとの間で挟持することを特徴とするブラシ付き電動モータ。
【請求項５】
請求項１〜３のいずれか１項に記載のブラシ付き電動モータにおいて、前記ブラシホルダの側面を前記モータケースの内面に圧入して該モータケースの内部に位置決めすることを特徴とするブラシ付き電動モータ。
【請求項６】
請求項１〜５のいずれか１項に記載のブラシ付き電動モータにおいて、前記エンドケースは、ウォームを備えたウォーム軸と前記ウォームに噛み合うウォームホイルとからなる減速機構を収容するギヤケースであり、前記ウォーム軸は前記ギヤケースが前記モータケースに取り付けられたときに前記アマチュア軸に連結されることを特徴とするブラシ付き電動モータ。
【請求項７】
請求項１〜５のいずれか１項に記載のブラシ付き電動モータにおいて、前記エンドケースは、前記アマチュア軸に一体に形成されるウォームと該ウォームに噛み合うウォームホイルとからなる減速機構を収容するギヤケースであることを特徴とするブラシ付き電動モータ。
【発明の詳細な説明】
【技術分野】
【０００１】
本発明は、ブラシとコミュテータとを介してアマチュアコイルに電流を供給するようにしたブラシ付き電動モータに関する。
【背景技術】
【０００２】
従来から、車両に設けられるパワーウインド装置やサンルーフ装置等の駆動源としてはモータ本体と減速機とを１つのユニットとした減速機付き電動モータが用いられ、モータ本体としてはブラシとコミュテータとを介してアマチュアコイルに電流を供給するようにしたブラシ付き電動モータが多く用いられている。
【０００３】
ブラシ付き電動モータは内周面に一対のマグネットが固定されるモータケース（ヨーク）を備え、このモータケースの内部にはアマチュア軸を備えたアマチュアが回転自在に収容される。アマチュアには複数のアマチュアコイルが設けられ、これらのアマチュアコイルに電流を供給するために、アマチュア軸にはコミュテータ（整流子）が固定され、モータケースに装着されるブラシホルダには一対のブラシが保持されている。各ブラシはコミュテータの外周に摺接しており、各ブラシが電源に接続されると、ブラシとコミュテータとを介して各アマチュアコイルに所定のタイミングで電流が供給され、アマチュアが回転するようになっている。
【０００４】
このような電動モータには、各ブラシを電源に接続するために給電用のコネクタ部が設けられ、このコネクタ部を電源側の外部コネクタに接続することにより、ブラシに電流が供給されるようになっている。
【０００５】
例えば特許文献１には、樹脂製のブラシホルダに給電用のコネクタ部を一体に形成し、ブラシホルダをモータケースの開口端と減速機のギヤケースとの間に挟み込んで固定するとともにコネクタ部をモータケースとギヤケースとの間からモータケースの外部に突出させるようにした電動モータが記載されている。
【０００６】
このようなコネクタ一体型のブラシホルダでは、ブラシホルダにはコネクタ部とブラシとを電気的に接続する給電用のリード部材とコネクタ部と回転検出用の回路基板とを電気的に接続するセンサ用のリード部材とがインサート成形により埋設されることになるが、複数のリード部材を互いに絶縁を確保しながら並べてインサート成形するのは容易ではない。そこで、例えば特許文献１に示されるブラシホルダでは、各リード部材が互いに連接部により連接されたリード部材形成用素材を当該ブラシホルダにインサート成形し、インサート成形後に開口部より連接部を切断して、当該素材を各リード部材に分離するようにしている。
【先行技術文献】
【特許文献】
【０００７】
【特許文献１】特開２００３−２８４２９２号公報
【発明の概要】
【発明が解決しようとする課題】
【０００８】
パワーウインドモータ等の電動モータを複数の車種に対応させるためには、車体側に設けられる外部コネクタの形状や差し込み方向に応じてコネクタ部の仕様が相違する複数仕様のモータを用意する必要がある。
【０００９】
しかしながら、特許文献１に示される電動モータでは、コネクタ部を樹脂材料によりブラシホルダと一体に形成するようにしているので、外部コネクタの仕様に対応させてコネクタ部の仕様が相違する複数種類のブラシホルダを用意する必要がある。また、ブラシホルダにアマチュア軸の回転を検出するための回転検出装置（センサ基板）を搭載するようにした技術も知られているが、この場合においても、コネクタ部の仕様に合わせて回転検出装置が搭載された複数種類のブラシホルダを用意する必要がある。そのため、各ブラシホルダに対応した複数の金型を用意しなければならず、このブラシ付き電動モータのコストが増加することになる。
【００１０】
また、コネクタ部とブラシホルダとを一体に形成するためには、上下型の他に多数のスライド型が必要になってブラシホルダを樹脂成形するための金型の形状が複雑化する上、金型自体も大型化して金型の費用も増加することになる。
【００１１】
本発明の目的は、コネクタ部の仕様違いに対するブラシホルダの汎用性を高めてブラシ付き電動モータのコストを低減することにある。
【課題を解決するための手段】
【００１２】
本発明のブラシ付き電動モータは、コミュテータと前記コミュテータに摺接する複数のブラシとを備えたブラシ付き電動モータであって、一端が開口する有底筒状に形成され、内面に界磁部が設けられるモータケースと、前記モータケースの内部に装着され、前記複数のブラシを保持するブラシホルダと、前記モータケースに回転自在に支持され、前記コミュテータが固定されるアマチュア軸と、それぞれ前記コミュテータに接続され、前記アマチュア軸とともに回転する複数のアマチュアコイルと、前記モータケースの開口端に取り付けられ、該モータケースの開口を閉塞するエンドケースと、前記ブラシホルダに前記アマチュア軸の軸方向に重ねて配置される本体部と、前記モータケースと前記エンドケースとに挟持固定される挟持部と、前記モータケースの外側に配置される給電用のコネクタ部とが一体に設けられ、かつ、前記ブラシホルダとは別体に形成したコネクタユニットと、前記コネクタユニットに埋設され、一端が前記給電用のコネクタ部に突出して電源接続端子を構成するとともに他端が前記本体部に突出してコネクタ側接続端子を構成する一対の給電用リード部材と、それぞれ前記ブラシに電気的に接続されて前記ブラシホルダに設けられ、前記コネクタユニットの本体部が前記ブラシホルダに軸方向に重ねて配置されたときに対応する前記コネクタ側接続端子に電気的に接続される一対のブラシ側接続端子と、前記コネクタユニットに設けられ、該コネクタユニットに埋設された一対の前記給電用リード部材が共に露出する露出部とを有し、前記コネクタ側接続端子は、前記軸方向に突出しており、前記一対のブラシ側接続端子は、前記コネクタ側接続端子が挿通される接続孔を有し、前記挟持部は環状に形成され、前記挟持部の前記モータケース側面または前記エンドケース側面には前記モータケースと前記エンドケースとの間に挟み込まれるシール部材が装着され、該シール部材により前記露出部が覆われることを特徴とする。
【００１３】
本発明のブラシ付き電動モータは、前記コネクタユニットの本体部の一側面側には前記アマチュア軸の回転を検出する回転検出装置が搭載され、前記コネクタユニットには前記コネクタ部に突出して検出装置用接続端子を構成するとともに前記回転検出装置に電気的に接続される複数の検出装置用リード部材が埋設され、前記露出部からは一対の前記給電用リード部材と複数の前記検出装置用リード部材とが露出することを特徴とする。
【００１４】
本発明のブラシ付き電動モータは、前記回転検出装置は前記本体部を挟んで前記ブラシホルダとは軸方向反対側の面側に配置され、前記コネクタ側接続端子は前記コネクタユニットの本体部から前記ブラシホルダに向けて軸方向に突出し、前記検出装置用リード部材の他端は前記コネクタユニットの本体部から前記ブラシホルダとは軸方向反対側に向けて軸方向に突出して前記回転検出装置に接続されることを特徴とする。
【００１７】
本発明のブラシ付き電動モータは、前記ブラシホルダの軸方向端部を前記モータケースの内面に設けられる段差部に当接させて該モータケースの内部に位置決めし、前記ブラシホルダを前記コネクタユニットと前記モータケースとの間で挟持することを特徴とする。
【００１８】
本発明のブラシ付き電動モータは、前記ブラシホルダの側面を前記モータケースの内面に圧入して該モータケースの内部に位置決めすることを特徴とする。
【００１９】
本発明のブラシ付き電動モータは、前記エンドケースは、ウォームを備えたウォーム軸と前記ウォームに噛み合うウォームホイルとからなる減速機構を収容するギヤケースであり、前記ウォーム軸は前記ギヤケースが前記モータケースに取り付けられたときに前記アマチュア軸に連結されることを特徴とする。
【００２０】
本発明のブラシ付き電動モータは、前記エンドケースは、前記アマチュア軸に一体に形成されるウォームと該ウォームに噛み合うウォームホイルとからなる減速機構を収容するギヤケースであることを特徴とする。
【発明の効果】
【００２１】
本発明によれば、給電用のコネクタ部を備えたコネクタユニットをブラシホルダとは別体に形成するようにしたので、外部コネクタの仕様違いに対して、ブラシホルダの仕様はそのままにコネクタユニットの仕様のみを換えて対応することができる。これにより、ブラシホルダの汎用性が高められ、このブラシ付き電動モータのコストを低減することができる。
【００２２】
また、コネクタユニットの本体部をブラシホルダに軸方向に重ねて配置することにより、ブラシホルダに設けられるブラシ側接続端子とコネクタユニットに設けられるコネクタ側接続端子とが電気的に接続されて各ブラシがコネクタ部に設けられる電源接続端子に接続されるようにしたので、コネクタユニットとブラシホルダとを別体とした構成としても、ブラシへの給電用の端子同士の電気的な接続のみで電動モータを構成することができ、電気的接続を行う箇所が必要最小限となって電気的接続の信頼性を向上させることができる。
【００２３】
さらに、コネクタユニットに一対の給電用リード部材が共に露出する露出部を設けるようにしたので、一対の給電用リード部材を連接部において互いに連接した状態でコネクタユニットにインサート成形し、その後、露出部から露出する連接部を切断することにより各リード部材に分離させることができる。これにより、一対の給電用リード部材のインサート成形を容易にし、また、その絶縁を確実に確保することができる。
【００２４】
本発明によれば、アマチュア軸の回転を検出するための回転検出装置をコネクタユニット側に搭載するようにしたので、ブラシユニットとコネクタユニットとを別体に構成するようにしても、ブラシユニットとコネクタユニットとに設ける電気的な接続構造を、ブラシ側接続端子とコネクタ側接続端子とによる各ブラシへの給電用のみとすることができる。したがって、ブラシユニットとコネクタユニットとに回転検出装置への給電用等の接続構造を別途設ける必要がなく、このブラシ付き電動モータのコストを低減することができ、さらにブラシ用の給電端子同士の電気的な接続のみで電動モータを構成することができ、電気的接続を行う箇所も必要最小限となって電気的接続の信頼性を向上させることができる。
【００２５】
また、コネクタ部と回転検出装置とを電気的に接続する検出装置用リード部材を露出部から露出させるようにしたので、一対の給電用リード部材と各検出装置用リード部材とを連接部において互いに連結した状態でコネクタユニットにインサート成形し、その後、露出部から露出する連接部を切断することにより各リード部材に分離させることができる。これにより、各リード部材のインサート成形を容易にし、また、その絶縁を確実に確保することができる。
【００２６】
本発明によれば、回転検出装置を本体部を挟んでブラシホルダとは軸方向反対側の面側に配置するようにしたので、回転検出装置を各ブラシに対してブラシホルダとコネクタユニットの本体部とにより隔離することができる。これにより、ブラシとコミュテータとの摺接部分から発生するブラシ摩耗粉が回転検出装置に付着することを防止して、回転検出装置による回転検出の信頼性を高めることができる。
【００２７】
本発明によれば、モータケースとエンドケースとの間にシール部材を挟み込むようにしたので、このブラシ付き電動モータの防水性や防塵性を高めることができる。また、このシール部材により露出部を覆うようにしたので、露出部に雨水や埃等の異物が侵入することを防止して、リード部材間の絶縁不良や各リード部材の腐食等を防止することができる。
【図面の簡単な説明】
【００２９】
【図１】本発明の一実施の形態であるパワーウインドモータの横断面図である。
【図２】図１に示すモータ本体の詳細を示す斜視図である。
【図３】図１に示すブラシユニットの詳細を示す斜視図である。
【図４】ブラシホルダのモータヨークの内部への位置決め構造を示す断面図である。
【図５】図１に示すフレームユニットの詳細を示す斜視図である。
【図６】図５に示すコネクタユニットの詳細を示す斜視図である。
【図７】センサ基板の搭載構造の変形例を示す斜視図である。
【図８】コネクタユニットに設けられる給電用リード部材とセンサ用リード部材の配置を示す斜視図である。
【図９】ブラシ側接続端子とコネクタ側接続端子との接続部分の詳細を示す断面図である。
【図１０】コネクタユニットにおけるセンサ基板と各リード部材の配置を側面から見た説明図である。
【図１１】リード部材形成用素材を示す斜視図である。
【図１２】インサート成形後のリード部材形成用素材の状態を示す斜視図である。
【図１３】（ａ）〜（ｃ）はそれぞれリード部材形成用素材の分離手順を示す説明図である。
【図１４】露出孔を閉塞する構造の変形例を示す斜視図である。
【図１５】コネクタ部の仕様が相違する２種類のパワーウインドモータの製造方法について説明する図である。
【図１６】他の実施の形態に係るブラシユニットを裏側から見た斜視図である。
【発明を実施するための形態】
【００３０】
以下、本発明の実施の形態を図面に基づいて詳細に説明する。
【００３１】
図１は本発明の一実施の形態であるパワーウインドモータの横断面図であり、ブラシ付き電動モータとしてのパワーウインドモータ１１は、図示しない車両に設けられるパワーウインド装置の駆動源として用いられるものであり、車体のドアの内部に装着されてレギュレータを介してウインドガラスを開閉駆動する。
【００３２】
このパワーウインドモータ１１は、モータ本体１２とフレームユニット１３とを備えており、これらが１つのユニットとして組まれた減速機付き電動モータとなっている。
【００３３】
図２は図１に示すモータ本体の詳細を示す斜視図であり、モータ本体１２のステータ１４はモータケースとしてのモータヨーク１５を備えている。モータヨーク１５は導体である鋼板をプレス装置等により絞り加工することにより、断面が略小判形であってその軸方向の一端が開口し他端が底壁部１５ａにより閉塞された有底筒状に形成されており、その開口端には径方向に突出するフランジ部１５ｂが設けられている。小判形のモータヨーク１５は円弧面１５ｅと平坦面１５ｆとからなり、円弧面１５ｅの内面には、図１に示すように、界磁部としての一対のマグネット１６が互いに同極を向かい合わせて固定されており、各マグネット１６の背面に位置する異極がモータヨーク１５の円弧面１５ｅと平坦面１５ｆを磁路として平坦面１５ｆにまで至ることで、平坦面１５ｆには擬似的な異極が形成され、モータヨーク１５とこれらのマグネット１６により、モータヨーク１５には磁界が形成されるようになっている。なお、フランジ部１５ｂには３箇所のねじ孔１５ｄが開設されている。
【００３４】
なお、図示する場合では、モータケースとして、鋼板を絞り加工して形成される容器状のモータヨーク１５を用いるようにしているが、これに限らず、例えば鋼板により筒状に形成されたヨーク本体の一端を樹脂等により形成される蓋部材により閉塞して容器状としたものをモータケースとして用いるようにしてもよい。
【００３５】
モータヨーク１５の内部にはアマチュア１７（電機子）が収容されており、このアマチュア１７はアマチュア軸１８を備え、このアマチュア軸１８はその一端においてモータヨーク１５の底壁部１５ａの軸受支持部１５ｃに設けられる軸受２１によりラジアル方向が軸支され、軸受支持部１５ｃの内面側に配されたスチールプレート２１ａとアマチュア軸１８とスチールプレート２１ａの間に配されたスチールボール２１ｂによってスラスト方向が軸支されることでアマチュア軸１８は当該モータヨーク１５に回転自在に支持されている。
【００３６】
アマチュア軸１８にはマグネット１６による磁界の内部に位置するようにアマチュアコア１９が固定されている。アマチュアコア１９は導体である板状鋼材を軸方向に積層することにより円柱状に形成されており、その外周に開口する複数のスロット１９ａが周方向に並べて設けられている。各スロット１９ａには複数のアマチュアコイル２２が重ね巻により装着されており、これらのアマチュアコイル２２はアマチュアコア１９つまりアマチュア軸１８とともに回転するようになっている。
【００３７】
アマチュア軸１８にはアマチュアコア１９に対して軸方向に隣接してコミュテータ（整流子）２３が固定されている。コミュテータ２３は周方向に並ぶ複数のセグメント片（整流子片）２３ａを備えており、各セグメント片２３ａにはそれぞれ対応するアマチュアコイル２２のコイル端が電気的に接続されている。
【００３８】
モータヨーク１５の内部には、コミュテータ２３を介して各アマチュアコイル２２に駆動電流を供給するために、ブラシユニット２４が装着されている。
【００３９】
図３は図１に示すブラシユニットの詳細を示す斜視図であり、図４はブラシホルダのモータヨークの内部への位置決め構造を示す断面図である。
【００４０】
図３に示すように、このブラシユニット２４は樹脂製のブラシホルダ２５とブラシホルダ２５に保持される一対のブラシ２６とを備えている。
【００４１】
このブラシホルダ２５は樹脂材料を射出成形して形成されており、図３に示すように、モータヨーク１５の開口の内面形状に合わせた略小判形の外形に形成される環状のリング部２５ａと、このリング部２５ａの軸方向端部に一体に形成される板状のベース部２５ｂとを備えている。そして、ブラシホルダ２５は、ベース部２５ｂが外側を向くようにリング部２５ａの側からモータヨーク１５の内部に挿入されることによりモータヨーク１５の内部に装着されるようになっている。
【００４２】
リング部２５ａの外周には軸方向（アマチュア軸１８に平行な方向）に延びるとともに径方向外側に所定の高さで突出する複数のリブ２７が設けられており、図４に示すように、ブラシホルダ２５はこれらのリブ２７がモータヨーク１５の円弧面１５ｅと平坦面１５ｆにおける内面に摺接するようにモータヨーク１５に装着される。このとき、各リブ２７は、モータヨーク１５の内面に接することにより、径方向内側に若干弾性変形する。これにより、ブラシホルダ２５はモータヨーク１５の内面に軽圧入により装着されることになり、ブラシホルダ２５がモータヨーク１５から不用意に離脱することが防止される。また、図４に示すように、モータヨーク１５の円弧面１５ｅにおける内面には絞り加工により開口端から所定深さに位置して軸方向に垂直な当接面２８ａを備える段差部２８が設けられており、ブラシホルダ２５はリング部２５ａの軸方向端部が当該段差部２８つまり当接面２８ａに当接することにより、ベース部２５ｂがモータヨーク１５の開口端のフランジ部１５ｂとほぼ面一となるように、モータヨーク１５の内部に軸方向に位置決めされるようになっている。
【００４３】
なお、図示する場合では、ブラシホルダ２５をモータヨーク１５に設けられる段差部２８の当接面２８ａに当接させて当該モータヨーク１５の内部に位置決めするようにしているが、これに限らず、例えば、各リブ２７の径方向外側への突出量を増すこと等により、ブラシホルダ２５をモータヨーク１５の内部に圧入により装着するようにして、当該圧入によりブラシホルダ２５をモータヨーク１５の内部に位置決めするようにしてもよい。
【００４４】
図２、図３に示すように、ベース部２５ｂの軸心には貫通孔３１が設けられており、この貫通孔３１には軸受（メタル軸受）３２が装着され、アマチュア軸１８の他端側はこの軸受３２により回転自在に支持されるようになっている。このように、モータヨーク１５にブラシホルダ２５が装着されると、アマチュア軸１８はその一端がモータヨーク１５の底壁部１５ａに回転自在に支持されるとともにその他端側がブラシホルダ２５に回転自在に支持されるようになっている。これにより、モータ本体１２に後述するフレームユニット１３が取り付けられなくても、アマチュア１７はモータヨーク１５の内部で回転自在となり、一対のブラシ２６に電源を供給することでモータ本体１２を単体で作動させることができる。
【００４５】
図３に示すように、一対のブラシ２６は互いにアマチュア軸１８の回転方向に９０度ずれて配置されており、それぞれリング部２５ａにおいてブラシホルダ２５に保持されるようになっている。そして、モータヨーク１５にブラシホルダ２５が装着されると、図１に示すように、コミュテータ２３はブラシホルダ２５のリング部２５ａの内側に配置され、一対のブラシ２６はそれぞれコミュテータ２３（セグメント片２３ａ）の外周面に摺接するようになっている。また、各ブラシ２６はそれぞれコミュテータ２３に接近・離反する方向に進退移動自在となっており、それぞれリング部２５ａに装着されるスプリング３３によって付勢されてコミュテータ２３の外周面に弾性的に摺接するようになっている。
【００４６】
図５は図１に示すフレームユニット１３の詳細を示す斜視図であり、図６は図５に示すコネクタユニット４２の詳細を示す斜視図である。
【００４７】
図５に示すように、フレームユニット１３は減速機４１とコネクタユニット４２とを有しており、減速機４１にコネクタユニット４２が装着されるとフレームユニット１３として構成されるようになっている。
【００４８】
減速機４１はエンドケースとしてのギヤケース４３を有している。このギヤケース４３は樹脂材料の射出成形により所定の形状に形成され、モータヨーク１５の開口を閉塞する面には、コネクタユニット４２を装着する際のガイドとなるガイド部４３ａとガイド部４３ｂとが設けられている。また、ギヤケース４３にはモータヨーク１５の３箇所のねじ孔１５ｄに対向して３箇所のねじ孔４３ｃが設けられている。なお、符号４３ｄは各ねじ孔４３ｃの孔奥位置に図示しないにナット部材を挿入するためのナット孔である。そして、モータヨーク１５の開口端つまりフランジ部１５ｂに設けられた各ねじ孔１５ｄから締結部材（ボルト等）４４を挿入し、ギヤケース４３の各ねじ孔４３ｃを介してナット孔４３ｄ内の図示しないナットと締結することにより、ギヤケース４３はモータヨーク１５の開口端に取り付けられ、当該モータヨーク１５の開口を閉塞するようになっている。
【００４９】
図１に示すように、ギヤケース４３の内部には減速機構４５が収容されている。この減速機構４５はいわゆるウォームギヤ機構となっており、ウォーム軸４６とウォームホイル４７とを有している。
【００５０】
ウォーム軸４６はその両端部を軸受４８，４９によりラジアル方向が軸支されてギヤケース４３に回転自在に収容されており、その外周にはウォーム４６ａが一体に形成されている。また、ウォーム軸４６の軸受４９側の端面には凹部が形成され、その内部にスチールボール４９ａが設けられており、ギヤケース４３側に配されたスラストプレート４９ｂによってスラスト方向が軸支されている。ウォーム軸４６をアマチュア軸１８に連結するために、ウォーム軸４６のギヤケース４３の開口側に位置する一端には連結孔４６ｂが設けられ、アマチュア軸１８の先端には連結凸部１８ａが設けられている。減速機構４５を収容したギヤケース４３つまりフレームユニット１３がモータ本体１２のモータヨーク１５に取り付けられると、ウォーム軸４６の連結孔４６ｂにアマチュア軸１８の先端に設けられる連結凸部１８ａが差し込まれ、これにより、ウォーム軸４６はアマチュア軸１８に連結されるようになっている。
【００５１】
ウォームホイル４７は出力軸５１の軸心に固定されてギヤケース４３に回転自在に収容されており、このウォームホイル４７の外周部はウォーム４６ａに噛み合わされている。これにより、アマチュア軸１８が回転すると、その回転がウォーム軸４６つまりウォーム４６ａとウォームホイル４７とにより所定の回転数にまで減速されて出力軸５１から出力される。
【００５２】
詳細は図示しないが、出力軸５１の先端部分はギヤケース４３から突出しており、出力軸５１のギヤケース４３から突出した先端部分には、図示しないピニオン等が設けられ、図示しないパワーウインド装置のレギュレータと連結されている。
【００５３】
一方、コネクタユニット４２は樹脂材料の射出成形により形成される樹脂製となっており、図６に示すように、挟持部５２と給電用のコネクタ部５３と本体部としての平板部５４とが一体に設けられた構造となっている。
【００５４】
挟持部５２は、ブラシホルダ２５のベース部２５ｂの外形形状に合わせた略小判形の外形を有する環状に形成されており、平板部５４はこの挟持部５２の内側に設けられている。平板部５４はアマチュア軸１８の軸方向に垂直な平板状に形成され、そのギヤケース４３の側に向く面上にはギヤケース４３の側に向けて軸方向に突出する一対のスカート部５５，５６が一体に設けられており、挟持部５２がガイド部４３ａによってガイドされるとともに、これらのスカート部５５，５６がギヤケース４３の開口に挿入されることにより、コネクタユニット４２はギヤケース４３に装着されるようになっている。
【００５５】
各スカート部５５，５６の外周には、それぞれ軸方向に延びるとともに径方向外側に所定の高さで突出する複数のリブ５７が設けられ、スカート部５５，５６はこれらのリブ５７がギヤケース４３の内面に接して径方向に若干弾性変形するようにギヤケース４３に挿入される。これにより、コネクタユニット４２はギヤケース４３に軽圧入により装着されることになり、ギヤケース４３から不用意に離脱することがない。
【００５６】
平板部５４の軸心には貫通孔５８が設けられ、モータ本体１２にフレームユニット１３が組み付けられたときには、アマチュア軸１８はこの貫通孔５８を貫通してウォーム軸４６に連結される。
【００５７】
図６に示すように、コネクタユニット４２の平板部５４には、アマチュア軸１８の回転を検出するための回転検出装置としてのセンサ基板６１が搭載されている。センサ基板６１は平板部５４の一方のスカート部５５の内側部分に支持され、平板部５４に対してブラシホルダ２５とは反対側であるとともに当該平板部５４に対して平行（アマチュア軸１８の軸方向に垂直）に配置されている。
【００５８】
センサ基板６１には回転センサとして一対のホールセンサ６２が搭載されており、図１に示すように、これらのホールセンサ６２はアマチュア軸１８に固定されるリングマグネット６３と軸方向に対向するよう配置されている。リングマグネット６３は周方向に等間隔に並ぶ複数の磁極を有しており、アマチュア軸１８が回転すると各ホールセンサ６２からアマチュア軸１８の回転数に反比例した周期のパルス信号が出力される。また、ホールセンサ６２は互いに回転方向に位相を９０度ずらして配置されており、これにより、アマチュア軸１８の回転方向に応じて、各ホールセンサ６２から出力されるパルス信号の発生順が逆になるようにされている。
【００５９】
なお、本実施の形態においては、センサ基板６１を平板部５４に対して平行（アマチュア軸１８の軸方向に垂直）に配置するようにしているが、これに限らず、図７に示すように、センサ基板６１を平板部５４に対して垂直（アマチュア軸１８の軸方向に平行）に配置するようにしてもよい。この場合、センサ基板６１に設けられる各ホールセンサ６２をリングマグネット６３の外周面に対向させるようにしてもよい。
【００６０】
図１に示すように、フレームユニット１３がモータ本体１２に取り付けられると、挟持部５２と平板部５４とがブラシホルダ２５のベース部２５ｂに軸方向に重ねて配置される。そして、挟持部５２はブラシホルダ２５を介してモータヨーク１５の段差部２８に支持され、これにより、挟持部５２つまりブラシホルダ２５はフレームユニット１３の平板部５４とモータヨーク１５の段差部２８との間に挟持固定される。
【００６１】
ここで、図２に示すように、ブラシホルダ２５のベース部２５ｂにはギヤケース４３の側に向けて開口する３つの係合孔６４が設けられ、図５に示すように、コネクタユニット４２の平板部５４にはモータ本体１２の側に向けて突出する３つの係合突起６５が一体に設けられている。そして、コネクタユニット４２に設けられる係合突起６５がブラシホルダ２５に設けられる対応する係合孔６４に係合することにより、挟持部５２はブラシホルダ２５に対して位置決めされるようになっている。
【００６２】
図６に示すように、挟持部５２には、これを覆うように環状のシール部材６６が装着されている。このシール部材６６の材質は、例えば合成ゴム等のエラストマ材とされており、２色成形により挟持部５２と一体的に形成されている。そして、図１に示すように、モータ本体１２にフレームユニット１３が組み付けられたときには、このシール部材６６はモータヨーク１５のフランジ部１５ｂとギヤケース４３と挟持部５２との間、及び、ギヤケース４３と挟持部５２との間に挟み込まれるようになっている。つまり、挟持部５２はシール部材６６を介してモータヨーク１５のフランジ部１５ｂとギヤケース４３との間にも挟持固定（挟み込まれて固定）されるようになっている。これにより、モータヨーク１５とギヤケース４３との間に挟持部５２を挟み込んでコネクタユニット４２を固定する構造としても、シール部材６６がモータヨーク１５のフランジ部１５ｂとギヤケース４３の開口端とに接することにより、その挟持部分からの雨水や埃等の異物が侵入することを防止することができる。
【００６３】
なお、図示する場合では、シール部材６６を２色成形により挟持部５２と一体的に形成するようにしているが、これに限らず、挟持部５２とは別体に形成されたシール部材６６をモータヨーク１５のフランジ部１５ｂと挟持部５２との間、及び、ギヤケース４３と挟持部５２との間に位置するように挟持部５２に取り付けるようにしてもよい。
【００６４】
図１、図６に示すように、コネクタ部５３は、一端が開口する断面矩形の箱形に形成されており、モータヨーク１５とギヤケース４３との間から突出する連結部６７を介して挟持部５２と一体に形成されている。また、コネクタ部５３はギヤケース４３に隣接するようにギヤケース４３やモータヨーク１５の外側に配置されており、車両側に設けられる外部コネクタ（不図示）に接続されるようになっている。なお、コネクタユニット４２がギヤケース４３に装着される際に、連結部６７はガイド部４３ｂによってガイドされるとともに所定位置に位置決めされるようになっている。
【００６５】
図８はコネクタユニットに設けられる給電用リード部材とセンサ用リード部材の配置を示す斜視図であり、コネクタユニット４２には、一対の給電用リード部材６８と４つの検出装置用リード部材としてのセンサ用リード部材６９とがインサート成形により埋設されている。
【００６６】
給電用リード部材６８は、銅板等の導電性を有する板材を折り曲げて形成されており、その一端はそれぞれコネクタ部５３の内部にアマチュア軸１８に平行となって並んで突出して一対の電源接続端子７１を構成している。そして、コネクタ部５３に外部コネクタが接続されると、各電源接続端子７１は外部コネクタを介して図示しない制御装置に接続されるようになっている。また、給電用リード部材６８はそれぞれ当該コネクタ部５３から連結部６７を介して平板部５４にまで導かれており、図５に示すように、その他端は平板部５４から突出して一対のコネクタ側接続端子７２を構成している。これらのコネクタ側接続端子７２は、それぞれ平板部５４からモータヨーク１５が取り付けられる側の軸方向つまりアマチュア軸１８の軸方向に平行な方向に突出しており、互いに並んだ状態で配置されている。
【００６７】
一方、図２に示すように、ブラシホルダ２５にはコネクタユニット４２のコネクタ側接続端子７２に対向して一対のブラシ側接続端子７３が設けられている。これらのブラシ側接続端子７３は、銅板等の導電性を有する板材を折り曲げて形成されており、それぞれ断面矩形の接続孔７３ａを備えている。これらの接続孔７３ａはコネクタ側接続端子７２に対応した大きさに形成されており、各ブラシ側接続端子７３はこれらの接続孔７３ａがギヤケース４３の側に向けて開口するようにブラシホルダ２５のベース部２５ｂに並べて固定されている。また、図３に示すように、ブラシ側接続端子７３には板状の接続部７３ｂが設けられており、これらの接続部７３ｂはそれぞれリード板７４，７５を介して対応するブラシ２６に電気的に接続されている。
【００６８】
なお、過電流からアマチュアコイル２２を保護するために、一方のリード板７４とブラシ２６との間にはサーキットブレーカ７６が接続されている。
【００６９】
図９はブラシ側接続端子とコネクタ側接続端子との接続部分の詳細を示す断面図である。
【００７０】
フレームユニット１３がモータ本体１２に取り付けられ、コネクタユニット４２の平板部５４がブラシホルダ２５に軸方向に重ねて配置されると、図９に示すように、コネクタ側接続端子７２は対応するブラシ側接続端子７３の接続孔７３ａに挿通されて当該ブラシ側接続端子７３に電気的に接続される。これにより、外部コネクタを介して図示しない制御装置から供給される駆動電流は、給電用リード部材６８つまりコネクタ部５３の電源接続端子７１とコネクタ側接続端子７２およびブラシ側接続端子７３を介して各ブラシ２６に供給される。このように、ブラシ側接続端子７３とコネクタ側接続端子７２とを電気的に接続することにより、各ブラシ２６に駆動電流が供給されるようになっている。
【００７１】
図１０はコネクタユニットにおけるセンサ基板と各リード部材の配置を側面から見た説明図である。
【００７２】
図８、図１０に示すように、センサ用リード部材６９は、それぞれ銅板等の導電性を有する板材を折り曲げて形成されており、その内の２本はセンサ基板６１への給電用、他の２本は各ホールセンサ６２の検出信号出力用となっている。図８に示すように、各センサ用リード部材６９の一端はそれぞれコネクタ部５３の内部にアマチュア軸１８に平行となって並んで突出し、それぞれ検出装置用接続端子としての４つのセンサ用接続端子７７を構成している。そして、コネクタ部５３に外部コネクタが接続されると、各センサ用接続端子７７は外部コネクタを介して図示しない制御装置に接続されるようになっている。
【００７３】
また、センサ用リード部材６９はそれぞれ当該コネクタ部５３から連結部６７を介して平板部５４にまで導かれており、図８、図１０に示すように、その他端は平板部５４からコネクタ側接続端子７２とは反対側つまりブラシホルダ２５とは反対側に向けて突出してそれぞれ基板側接続端子７８を構成している。これらの基板側接続端子７８は、それぞれ平板部５４から軸方向つまりアマチュア軸１８の軸方向に平行な方向に突出しており、互いに並んだ状態で配置されている。そして、それぞれの基板側接続端子７８はセンサ基板６１に電気的に接続され、これにより、外部コネクタを介してセンサ基板６１に電力を供給し、また、各ホールセンサ６２の検出信号を制御装置に出力することができるようになっている。
【００７４】
図示しない制御装置にセンサ基板６１を介してホールセンサ６２の検出信号が入力されると、当該制御装置は入力されたパルス信号からアマチュア軸１８の回転速度や回転方向を認識し、これらの回転速度や回転方向に基づいて、モータ本体１２の作動を制御するようになっている。
【００７５】
図１１はリード部材形成用素材を示す斜視図であり、図１２はインサート成形後のリード部材形成用素材の状態を示す斜視図である。
【００７６】
前述のように、このパワーウインドモータ１１では、コネクタユニット４２には一対の給電用リード部材６８と４つのセンサ用リード部材６９の計６つのリード部材６８，６９が埋設され、連結部６７においては、これらのリード部材６８，６９はその軸方向を平行として並べて配置されている。
【００７７】
このように複数のリード部材６８，６９が埋設されるコネクタユニット４２をインサート成形する方法としては、各リード部材６８，６９を成形型の内部に配置するとともにその両端部分を成形型により保持し、この状態で成形型の内部に樹脂材料を注入する方法が考えられる。しかしながら、この方法では、各リード部材６８，６９をそれぞれ成形型内に互いに絶縁状態にセットする必要があるため作業が煩雑になる上、各リード部材６８，６９の中間部分が樹脂圧により押されて位置ずれを生じるおそれがあり、本実施の形態のように連結部６７において各リード部材６８，６９を並べて配置するようにした場合には、各リード部材６８，６９の絶縁を確保することが困難となる。
【００７８】
そのため、このパワーウインドモータ１１では、図１１に示すようなリード部材形成用素材８１をインサート成形によりコネクタユニット４２に埋設し、インサート成形後にこのリード部材形成用素材８１を切断・分離させて、各リード部材６８，６９を形成するようにしている。
【００７９】
図１１に示すように、リード部材形成用素材８１は、銅板等の導電性を有する板材を所定の形状に打ち抜き加工し、これを折り曲げることにより、一対の給電用リード部材６８と４つのセンサ用リード部材６９とがコネクタユニット４２に埋設される配置（図８に示す配置）のまま５つの連接部８１ａにより互いに連接された形状に形成されている。つまり、リード部材形成用素材８１は、隣り合うリード部材６８，６９をそれぞれ連接部８１ａにより連接した一体物として形成されている。各連接部８１ａは、それぞれリード部材６８，６９の軸方向に垂直な方向に一直線上に並べて配置されており、リード部材形成用素材８１がコネクタユニット４２にインサート成形により埋設されたときには、コネクタユニット４２の連結部６７に位置するようになっている。
【００８０】
コネクタユニット４２をインサート成形する際には、リード部材形成用素材８１の両先端部分（つまり、各リード部材６８，６９の先端部分に対応する部分）と連接部８１ａが設けられる中間部分とが成形型により保持され、その状態で成形型内に樹脂材料が注入される。これにより、リード部材形成用素材８１の両端部分がコネクタ部５３や平板部５４から突出して外部に露出する。また、リード部材形成用素材８１の中間部分が成形型に保持されることにより、連結部６７には当該連結部６７の表面からリード部材形成用素材８１にまで達する露出部としての露出孔８２が形成される。これにより、図１２に示すように、リード部材形成用素材８１の各リード部材６８，６９の中間部分に対応する部分と各連接部８１ａとが露出孔８２から外部に露出するように配置されている。
【００８１】
図１３（ａ）〜（ｃ）はそれぞれリード部材形成用素材の分離手順を示す説明図である。なお、図１３（ａ）〜（ｃ）においては、左側には露出孔８２をその開口側から見た図が記載され、右側には左側の図の露出孔８２の軸心を通る断面図が記載されている。
【００８２】
図１３（ａ）に示すように、リード部材形成用素材８１がコネクタユニット４２にインサート成形により埋設されたときには、各連接部８１ａは露出孔８２から外部に露出している。
【００８３】
次に、図１３（ｂ）に示すように、露出孔８２から露出する各連接部８１ａが切断用の治具やカッター装置等により切断される。これにより、リード部材形成用素材８１が一対の給電用リード部材６８と４つのセンサ用リード部材６９とに分割され、コネクタユニット４２の内部に各リード部材６８，６９が互いに確実に絶縁された状態に配置されることになる。
【００８４】
このように、このパワーウインドモータ１１では、一対の給電用リード部材６８と４つのセンサ用リード部材６９とが連接部８１ａにより連接された構造のリード部材形成用素材８１をコネクタユニット４２にインサート成形により埋設し、その後、露出孔８２から露出するように配置された連接部８１ａを切断して各リード部材６８，６９を形成するようにしたので、各リード部材６８，６９のインサート成形を容易にするとともに、各リード部材６８，６９を並べて配置するようにしても、互いのリード部材６８，６９を干渉させることなく絶縁を確実に確保することができる。
【００８５】
一方、リード部材形成用素材８１が分割されると、図１３（ｂ）に示すように、各リード部材６８，６９の全てが露出孔８２から外部に露出するので、雨水や埃等の異物が露出孔８２に侵入すると、リード部材間の絶縁不良や各リード部材６８，６９の腐食等が生じるおそれがある。
【００８６】
そのため、このパワーウインドモータ１１では、図１３（ｃ）に示すように、各連接部８１ａの切断作業を終えた後に、露出孔８２にシリコンなどの充填材８３を充填して、当該露出孔８２を閉塞するようにしている。これにより、露出孔８２に雨水や埃等の異物が侵入することを防止して、リード部材間の絶縁不良や各リード部材６８，６９の腐食等を防止することができる。
【００８７】
このように、このパワーウインドモータ１１では、露出孔８２に充填材８３を充填し、この充填材８３により露出孔８２を閉塞するようにしたので、リード部材間の絶縁不良や各リード部材６８，６９の腐食等を防止して、このパワーウインドモータ１１の耐久性や作動信頼性を高めることができる。
【００８８】
なお、図１３（ｃ）に示す場合では、露出孔８２を充填材８３により閉塞するようにしているが、これに限らず、例えば図１４に示すように、リード部材形成用素材８１をインサート成形によりコネクタユニット４２に埋設し、各連接部８１ａを切断した後、挟持部５２と連結部６７とに所謂アウトサート成形法によりシール部材６６を一体形成し、このシール部材６６により露出孔８２を覆うようにしてもよい。このように、シール部材６６により露出孔８２を覆うようにしても、露出孔８２に雨水や埃等の異物が侵入することを防止して、パワーウインドモータ１１の耐久性や作動信頼性を高めることができる。
【００８９】
図１５はコネクタ部の仕様が相違する２種類のパワーウインドモータ１１の製造方法について説明する図である。
【００９０】
このパワーウインドモータ１１では、給電用のコネクタ部５３を備えたコネクタユニット４２をブラシホルダ２５とは別体に形成し、このコネクタユニット４２を減速機４１とモータ本体１２との間に挟み込んで固定するようにしたので、外部コネクタの仕様違いに対して、ブラシホルダ２５の仕様はそのままにコネクタユニット４２の仕様のみを換えることで容易に対応することができる。
【００９１】
例えば、図１５に示すように、コネクタ部５３の差し込み方向が相違する２つの仕様のパワーウインドモータ１１を製造する際には、減速機４１とモータ本体１２つまりブラシホルダ２５は同一の仕様のものを用い、コネクタユニット４２としてコネクタ部５３の仕様が相違する２種類を用意することにより、２つの仕様のパワーウインドモータ１１を容易に製造することができる。
【００９２】
このように、このパワーウインドモータ１１では、給電用のコネクタ部５３を備えたコネクタユニット４２をブラシホルダ２５とは別体に形成するようにしたので、外部コネクタに合わせてコネクタ部５３の仕様が相違する複数種類のパワーウインドモータ１１を製造する際にも、これらに共通の仕様のブラシホルダ２５を用いることができる。したがって、外部コネクタの仕様違いに対するブラシホルダ２５の汎用性を高めて、このパワーウインドモータ１１のコストを低減することができる。
【００９３】
また、このパワーウインドモータ１１では、図９に示すように、コネクタユニット４２の平板部５４をブラシホルダ２５のベース部２５ｂに軸方向に重ねて配置することにより、ブラシホルダ２５に設けられるブラシ側接続端子７３とコネクタユニット４２に設けられるコネクタ側接続端子７２とが電気的に接続されて各ブラシ２６がコネクタ部５３に設けられる電源接続端子７１に接続されるようにしたので、コネクタユニット４２とブラシホルダ２５とを別体とした構成としても、簡単な構成で各ブラシ２６と電源接続端子７１とを電気的に接続することができる。
【００９４】
さらに、このパワーウインドモータ１１では、図６に示すように、センサ基板６１をコネクタユニット４２の側に搭載するようにしているので、ブラシユニット２４とコネクタユニット４２とを組み合わせたときの電気的な接続構造は、ブラシ側接続端子７３とコネクタ側接続端子７２とによる各ブラシ２６への給電用のみを設ければよい。したがって、センサ基板６１への給電等の接続構造を別途設ける必要がなく、ブラシユニット２４とコネクタユニット４２との間の電気的な接続構造を簡素化して、このパワーウインドモータ１１のコストを低減することができる。
【００９５】
さらに、このパワーウインドモータ１１では、センサ基板６１をコネクタユニット４２の平板部５４に対してブラシホルダ２５とは反対側に配置するようにしたので、センサ基板６１は各ブラシ２６に対してブラシホルダ２５のベース部２５ｂとコネクタユニット４２の平板部５４とにより隔離された状態となる。これにより、各ブラシ２６とコミュテータ２３との摺接部分から発生するブラシ摩耗粉がセンサ基板６１やホールセンサ６２に付着することを防止して、センサ基板６１によるアマチュア軸１８の回転検出の信頼性を高めることができる。
【００９６】
さらに、このパワーウインドモータ１１では、センサ基板６１をコネクタユニット４２の側に搭載するようにしたので、基板側接続端子７８をハンダ付けによりセンサ基板６１に電気的に接続する際に、フラックスやハンダがブラシ２６に付着することを防止することができる。
【００９７】
次に、本発明における他の実施の形態について、図面を用いて詳細に説明する。なお、上述した実施の形態と同様の機能を有する部分については、同一の符号を付し、その詳細な説明を省略する。図１６は他の実施の形態に係るブラシユニットを裏側から見た斜視図である。
【００９８】
他の実施の形態に係るブラシユニット９０は、上述した実施の形態に比して、ブラシユニット９０を構成するブラシホルダ２５のベース部２５ｂに、一対のブラシ２６を対向配置、つまり、互いにアマチュア軸１８（図１参照）の回転方向に沿って１８０度ずれるよう配置した点が異なっている。
【００９９】
各ブラシ２６は、略小判形状のベース部２５ｂにおける比較的大きなスペースを有する両方の円弧側（図中上下側）にそれぞれ設けられており、これに伴い、ベース部２５ｂにおける各ブラシ２６の近傍には、各ブラシ２６をコミュテータ２３（図１参照）に向けて付勢するスプリング３３がそれぞれ配置されている。また、各ブラシ２６に電気的に接続されるブラシ側接続端子７３の接続部７３ｂは、各リード板７４，７５，チョークコイル９１，コンデンサ９２，サーキットブレーカ７６等を介して電気的に接続されている。また、各リード板７４，７５は、ベース部２５ｂの軸心に形成された貫通孔３１を中心に対向するようにベース部２５ｂに一体的に設けられた各インサート部９３にインサート成形等によりインサートされている。なお、各電気的接続部はスポット溶接等によって接続されている。
【０１００】
このように、本実施の形態においては、上述した実施の形態に係る各接続部７３ｂよりも離間した位置に各接続部７３ｂを設けるようにしている。したがって、詳細は図示しないが、コネクタユニット４２にインサート成形される一対のコネクタ側接続端子７２（図５参照）を、各接続部７３ｂの間隔に対応させるようにして設けるようにする。なお、チョークコイル９１およびコンデンサ９２は、各ブラシ２６を介して外部に放射される電気ノイズを吸収する役割を果たすものである。
【０１０１】
以上のように構成したブラシユニット９０を有するパワーウインドモータ１１においても、上述した実施の形態と同様の作用効果を奏することができる。これに加え、本実施の形態によれば、各ブラシ２６をそれぞれ対向離間させて設けたので、各ブラシ２６に電気的に接続される各リード板７４，７５や各接続部７３ｂ等についてもそれぞれ離間させてブラシホルダ２５に配置でき、したがって、これらの電子部品をブラシホルダ２５に対して組み付け易くすることが可能となる。
【０１０２】
本発明は前記実施の形態に限定されるものではなく、その要旨を逸脱しない範囲で種々変更可能であることはいうまでもない。例えば、前記実施の形態おいては、モータ本体１２にフレームユニット１３が取り付けられたパワーウインドモータ１１に本発明を適用しているが、これに限らず、例えば減速機４１を持たない電動モータに本発明を適用してもよい。この場合、モータヨーク１５の開口端にはギヤケース４３に換えてエンドケースが固定される。
【０１０３】
また、前記実施の形態においては、本発明はパワーウインド装置の駆動源に用いられるパワーウインドモータ１１に適用されているが、これに限らず、例えば、車体に設けられるワイパ装置の駆動源、スライドドア、バックドア、サンルーフ等の開閉体を自動的に駆動する車両用自動開閉装置の駆動源など、他の用途に用いられる電動モータに本発明を適用するようにしてもよい。
【０１０４】
さらに、前記実施の形態においては、減速機構４５を構成するウォーム軸４６をアマチュア軸１８とは別体に形成するようにしているが、これに限らず、アマチュア軸１８をギヤケース４３の内部にまで達する長さ寸法に形成し、アマチュア軸１８の外周にウォーム４６ａを一体に形成するようにしてもよい。
【０１０５】
さらに、前記実施の形態においては、ブラシ側接続端子７３を凹型に形成し、コネクタ側接続端子７２を凸型に形成するようにしているが、これに限らず、ブラシ側接続端子７３を凸型に形成し、コネクタ側接続端子７２を凹型に形成するようにしてもよい。
【０１０６】
さらに、前記実施の形態においては、ブラシホルダ２５のリング部２５ａの軸方向端部をモータヨーク１５内面に設けられた段差部２８の当接面２８ａに当接させることにより、モータヨーク１５の内部に軸方向に位置決めし、モータヨーク１５とギヤケース４３との間にコネクタユニット４２の挟持部５２を挟持する際に、ブラシホルダ２５もモータヨーク１５の段差部２８と挟持部との間に挟持固定するようになっているが、これに限らず、リング部２５ａの軸方向端面に段差部２８と対向する位置、また、ベース部２５ｂの後述するコネクタユニット４２と対向する位置に変形可能な小突起を設けておき、モータヨーク１５の内部に軸方向に軽圧入した際に、リング部２５ａの突起が段差部２８に当接するよう構成しておき、モータヨーク１５とギヤケース４３との固定によってこれらの小突起を変形させることで、モータヨーク１５の段差部２８とコネクタユニット４２との間にブラシホルダ２５を挟持するようにしてもよい。
【０１０７】
さらに、前記実施の形態においては、ブラシホルダ２５に一対のブラシ２６を保持するとともに、コネクタユニット４２に一対のコネクタ側接続端子７２を設け、ブラシホルダ２５には一対のコネクタ側接続端子７２に対向して一対のブラシ側接続端子７３を設けたものを示したが、これに限らず、例えばワイパ装置の駆動源として用いられるワイパモータのように、ブラシユニット２４に共通ブラシと低速運転用ブラシと高速運転用ブラシの３つのブラシ２６を設けるようにしてもよい。この場合、ブラシホルダ２５に３つのブラシ２６を設けるとともに、コネクタユニット４２に３つのコネクタ側接続端子７２を設け、ブラシホルダ２５には３つのコネクタ側接続端子７２に対向して３つのブラシ側接続端子７３を設けるように構成することもできる。
【０１０８】
さらに、前記実施の形態においては、回転検出装置としてホールセンサ６２を備えたセンサ基板６１が用いられているが、これに限らず、例えば、ＭＲ（磁気抵抗素子）センサを備えたセンサ基板６１を用いるなど、アマチュア軸１８の回転を検出できるものであれば他の検出装置を用いるようにしてもよい。
【０１０９】
さらに、前記実施の形態においては、露出部は露出孔８２として孔状に形成されているが、これに限らず、各リード部材６８，６９がそれぞれ同一箇所で全て露出させるものであれば、例えば、切り欠き等、他の構成や形状であってもよい。
【符号の説明】
【０１１０】
１１  パワーウインドモータ（ブラシ付き電動モータ）
１２  モータ本体
１３  フレームユニット
１４  ステータ
１５  モータヨーク（モータケース）
１５ａ  底壁部
１５ｂ  フランジ部
１５ｃ  軸受支持部
１５ｄ  ねじ孔
１５ｅ  円弧面
１５ｆ  平坦面
１６  マグネット（界磁部）
１７  アマチュア
１８  アマチュア軸
１８ａ  連結凸部
１９  アマチュアコア
１９ａ  スロット
２１  軸受
２１ａ  スチールプレート
２１ｂ  スチールボール
２２  アマチュアコイル
２３  コミュテータ
２３ａ  セグメント片
２４  ブラシユニット
２５  ブラシホルダ
２５ａ  リング部
２５ｂ  ベース部
２６  ブラシ
２７  リブ
２８  段差部
２８ａ  当接面
３１  貫通孔
３２  軸受
３３  スプリング
４１  減速機
４２  コネクタユニット
４３  ギヤケース（エンドケース）
４３ａ  ガイド部
４３ｂ  ガイド部
４３ｃ  ねじ孔
４３ｄ  ナット孔
４４  締結部材
４５  減速機構
４６  ウォーム軸
４６ａ  ウォーム
４６ｂ  連結孔
４７  ウォームホイル
４８，４９  軸受
４９ａ  スチールボール
４９ｂ  スラストプレート
５１  出力軸
５２  挟持部
５３  コネクタ部
５４  平板部
５５，５６  スカート部
５７  リブ
５８  貫通孔
６１  センサ基板（回転検出装置）
６２  ホールセンサ
６３  リングマグネット
６４  係合孔
６５  係合突起
６６  シール部材
６７  連結部
６８  給電用リード部材
６９  センサ用リード部材（検出装置用リード部材）
７１  電源接続端子
７２  コネクタ側接続端子
７３  ブラシ側接続端子
７３ａ  接続孔
７３ｂ  接続部
７４，７５  リード板
７６  サーキットブレーカ
７７  センサ用接続端子（検出装置用接続端子）
７８  基板側接続端子
８１  リード部材形成用素材
８１ａ  連接部
８２  露出孔（露出部）
８３  充填材
９０  ブラシユニット
９１  チョークコイル
９２  コンデンサ
９３  インサート部
【図１】
0005602507.tif 000002
【図２】
0005602507.tif 000003
【図３】
0005602507.tif 000004
【図４】
0005602507.tif 000005
【図５】
0005602507.tif 000006
【図６】
0005602507.tif 000007
【図７】
0005602507.tif 000008
【図８】
0005602507.tif 000009
【図９】
0005602507.tif 000010
【図１０】
0005602507.tif 000011
【図１１】
0005602507.tif 000012
【図１２】
0005602507.tif 000013
【図１３】
0005602507.tif 000014
【図１４】
0005602507.tif 000015
【図１５】
0005602507.tif 000016
【図１６】
0005602507.tif 000017